(57)【要約】【課題】フックを有しつつ、破損や変形を抑制可能な電動工具を提供する。【解決手段】ハウジング２と、前記ハウジング２に対して移動可能に接続されるフック３と、を備え、前記ハウジング２には、前記ハウジング２の外面から前記ハウジング２の内方に窪む収容溝２１ａが形成され、前記フック３の少なくとも一部は、前記フック３に外力が働いた場合において、前記収容溝２１ａに位置することが可能に構成されていることを特徴とする。【選択図】図９
2019107711.tif 000002
【特許請求の範囲】
【請求項１】
ハウジングと、
前記ハウジングに対して移動可能に接続されるフックと、を備え、
前記ハウジングには、前記ハウジングの外面から前記ハウジングの内方に窪む収容部が形成され、
前記フックの少なくとも一部は、前記フックに外力が働いた場合において、前記収容部に位置することが可能に構成されていることを特徴とする電動工具。
【請求項２】
前記収容部は、第１収容部と第２収容部と、を有し、
前記フックに外力が働いた場合において、前記第１収容部及び前記第２収容部のいずれか一方に位置することが可能に構成されていることを特徴とする請求項１に記載の電動工具。
【請求項３】
前記フックは、前記ハウジングに回転可能に接続され所定方向に延びる第１部分と、前記第１部分から延出し前記第１部分が前記所定方向に延びる軸線を中心に回転することに伴い前記ハウジングに対して回動して位置が変化するように構成された第２部分と、を有し、
前記フックに外力が働いた場合において、前記第２部分の少なくとも一部が前記収容部を形成する面と線接触することが可能に構成されていることを特徴とする請求項１又は２に記載の電動工具。
【請求項４】
ハウジングと、
前記ハウジングに回転可能に接続され所定方向に延びる第１部分と、前記第１部分から延出し前記第１部分が前記所定方向に延びる軸線を中心に回転することに伴い前記ハウジングに対する位置を変化するように構成された第２部分と、を有するフックと、を備え、
前記フックに外力が働いた場合において、前記第２部分の少なくとも一部が前記ハウジングと線接触することが可能に構成されていることを特徴とする電動工具。
【請求項５】
端壁部を有し前記第１部分が挿通される円筒部を有し、前記第１部分を前記ハウジングに対して移動可能に支持するフック支持部を、さらに有し、
前記端壁部には、前記円筒部の径方向に延び前記円筒部の周方向において所定の間隔で溝が形成され、
前記第１部分の端部には、前記第１部分の径方向に延びるピンが設けられ、
前記溝に前記ピンが係合することにより、前記第２部分の前記ハウジングに対する回動位置が位置決めされることを特徴とする請求項３又は４に記載の電動工具。
【請求項６】
前記ハウジングは、前記所定方向に延びるモータハウジングと、作業者の把持する把持部を有し前記モータハウジングに接続されるハンドルハウジングと、を有し、
前記モータハウジングに収容されステータを有するモータを、さらに有し、
前記第２部分は、前記第１部分から前記第１部分の径方向に延出する延出部を有し、
前記所定方向において、前記ステータ、前記延出部、前記把持部の順に並ぶことを特徴とする請求項３乃至５のいずれか一項に記載の電動工具。
【請求項７】
前記所定方向において、前記延出部に対して前記モータ側に重心が位置することを特徴とする請求項６に記載の電動工具。
【請求項８】
ハウジングと、
前記ハウジングに対して移動可能に接続されるフックと、を備え、
前記ハウジングには、前記ハウジングの外面から前記ハウジングの内方に窪んで前記フックを収容可能な収容部が形成され、
前記フックは、前記収容部に位置したとき、前記ハウジングの外面から外方に突出しないように収容されることを特徴とする電動工具。
【請求項９】
前記フックが前記収容部に位置したとき、前記フックは断面視において前記ハウジングの外面よりも内方に位置していることを特徴とする請求項８に記載の電動工具。
【発明の詳細な説明】
【技術分野】
【０００１】
本発明は電動工具に関する。
【背景技術】
【０００２】
従来から、作業中に電動工具本体を足場等に吊り下げておくためのフックを有する電動工具が知られている。例えば、特許文献１には、略中央部から折り曲げられたフックを工具の横部に配置させ、かつ、ダブルナットで固定するフック取り付け構造を備えた電動工具が開示されている。
【先行技術文献】
【特許文献】
【０００３】
【特許文献１】実開平４−８６１８７号公報
【発明の概要】
【発明が解決しようとする課題】
【０００４】
上記の電動工具において、電動工具本体を落下させるなどすることにより、フックに負荷がかかると、ハウジングのフック保持部分に応力が集中することにより電動工具が変形・破損してしまう可能性があった。
【０００５】
そこで本発明は、フックを有しつつ、破損や変形を抑制可能な電動工具を提供することを目的とする。
【課題を解決するための手段】
【０００６】
上記課題を解決するために本発明は、ハウジングと、前記ハウジングに対して移動可能に接続されるフックと、を備え、前記ハウジングには、前記ハウジングの外面から前記ハウジングの内方に窪む収容部が形成され、前記フックの少なくとも一部は、前記フックに外力が働いた場合において、前記収容部に位置することが可能に構成されていることを特徴とする電動工具を提供している。
【０００７】
上記構成の電動工具によれば、フックに外力が働いた場合においても、フックの少なくとも一部がハウジングの外面からハウジングの内方に窪む収容部に位置することが可能に構成されているため、フックに対して負荷がかかることが抑制され、好適に電動工具（フック及び電動工具のフック保持部）の破損及び変形を抑制することが可能となる。
【０００８】
上記構成において、前記収容部は、第１収容部と第２収容部と、を有し、前記フックの少なくとも一部は、前記フックに外力が働いた場合において、前記第１収容部及び前記第２収容部のいずれか一方に位置することが可能に構成されていることが好ましい。
【０００９】
このような構成によれば、フックに外力が働いた場合において、フックの少なくとも一部がハウジングの外面からハウジングの内方に窪む収容部に位置することが可能に構成されているため、フックに対して負荷がかかることが抑制され、好適に電動工具（フック及び電動工具のフック保持部）の破損及び変形を抑制することが可能となる。
【００１０】
また、前記フックは、前記ハウジングに回転可能に接続され所定方向に延びる第１部分と、前記第１部分から延出し前記第１部分が前記所定方向に延びる軸線を中心に回転することに伴い前記ハウジングに対して回動して位置が変化するように構成された第２部分と、を有し、前記フックに外力が働いた場合において、前記第２部分の少なくとも一部が前記収容部を形成する面と線接触することが可能に構成されていることが好ましい。
【００１１】
このような構成によれば、フックに外力が働いた場合において、第２部分の少なくとも一部が収容部を形成する面と線接触することが可能に構成されているため、フックがハウジングと点接触する場合に比べ応力を分散させることができ、電動工具（フック、フック保持部及びハウジング）の破損及び変形を抑制することが可能となる。
【００１２】
本発明はさらに、ハウジングと、前記ハウジングに回転可能に接続され所定方向に延びる第１部分と、前記第１部分から延出し前記第１部分が前記所定方向に延びる軸線を中心に回転することに伴い前記ハウジングに対する位置を変化するように構成された第２部分と、を有するフックと、を備え、前記フックに外力が働いた場合において、前記第２部分の少なくとも一部が前記ハウジングと線接触することが可能に構成されていることを特徴とする電動工具を提供している。
【００１３】
このような構成によれば、フックに外力が働いた場合において、第２部分の少なくとも一部が収容部を形成する面と線接触することが可能に構成されているため、フックがハウジングと点接触する場合に比べ応力を分散させることができ、電動工具（フック、フック保持部及びハウジング）の破損及び変形を抑制することが可能となる。
【００１４】
上記構成において、端壁部を有し前記第１部分が挿通される円筒部を有し、前記第１部分を前記ハウジングに対して移動可能に支持するフック支持部を、さらに有し、前記端壁部には、前記円筒部の径方向に延び前記円筒部の周方向において所定の間隔で溝が形成され、前記第１部分の端部には、前記第１部分の径方向に延びるピンが設けられ、前記溝に前記ピンが係合することにより、前記第２部分の前記ハウジングに対する回動位置が位置決めされることが好ましい。
【００１５】
このような構成によれば、好適に第２部分をハウジングに対して位置決めすることが可能となる。
【００１６】
また、前記ハウジングは、前記所定方向に延びるモータハウジングと、作業者の把持する把持部を有し前記モータハウジングに接続されるハンドルハウジングと、を有し、前記モータハウジングに収容されステータを有するモータを、さらに有し、前記第２部分は、前記第１部分から前記第１部分の径方向に延出する延出部を有し、前記所定方向において、前記ステータ、前記延出部、前記把持部の順に並ぶことが好ましい。
【００１７】
このような構成によれば、モータハウジングの径方向における電動工具の大型化を抑制することが可能となる。
【００１８】
また、前記所定方向において、前記延出部に対して前記モータ側に重心が位置することが好ましい。
【００１９】
このような構成によれば、安定して電動工具を梯子や足場等に吊り下げることが可能となる。
【００２０】
本発明は、さらに、ハウジングと、前記ハウジングに対して移動可能に接続されるフックと、を備え、前記ハウジングには、前記ハウジングの外面から前記ハウジングの内方に窪んで前記フックを収容可能な収容部が形成され、前記フックは、前記収容部に位置したとき、前記ハウジングの外面から外方に突出しないように収容されることを特徴とする電動工具を提供している。
【００２１】
上記によれば、フックがハウジングの外面より内方に位置するように構成されているため、例えば落下時においても地面とフックとが接触することが抑制でき、フックやハウジングのフック保持部分の破損及び変形を好適に抑制することが可能となる。
【００２２】
上記の構成において、前記フックが前記収容部に位置したとき、前記フックは断面視において前記ハウジングの外面よりも内方に位置していることが好ましい。
【発明の効果】
【００２３】
本発明の電動工具によれば、フックを有しつつ、破損や変形を抑制することが可能となる。
【図面の簡単な説明】
【００２４】
【図１】本発明の第１の実施の形態にかかるセーバソーの外観を示す右側面図であり、フックが第２収容溝に収容されている状態が示されている。
【図２】本発明の第１の実施の形態にかかるセーバソーのモータハウジング内部を示す部分断面図である。
【図３】本発明の第１の実施の形態にかかるセーバソーのフック支持部を示す斜視図である。
【図４】本発明の第１の実施の形態にかかるセーバソーのフック支持部の内部構造を示す断面図である。
【図５】本発明の第１の実施の形態にかかるセーバソーの外観を示す右側面図であり、フック全体が収容溝に位置する状態から回動した状態が示されている。
【図６】本発明の第１の実施の形態にかかるセーバソーの外観を示す平面図であり、フックが第３収容溝に収容されている状態が示されている。
【図７】本発明の第１の実施の形態にかかるセーバソーの外観を示す右側面図であり、フック支持部及びフックがハウジングから取り外されている状態が示されている。
【図８】本発明の第１の実施の形態にかかるセーバソーの外観を示す平面図であり、フック支持部及びフックがハウジングから取り外されている状態が示されている。
【図９】図２のＩＸ−ＩＸ線断面図である。
【図１０】本発明の第２の実施の形態にかかるディスクグラインダの外観図である。
【図１１】本発明の第３の実施の形態にかかるハンマドリルの外観図である。
【発明を実施するための形態】
【００２５】
以下、本発明の第１の実施の形態にかかる電動工具の一例であるセーバソー１について図１乃至図９に基づき説明する。セーバソー１は、木材、鋼材、パイプ等（被切断材）を切断するための電動式の電動工具であり、図１に示されているように、ハウジング２、フック３、フック支持部４を含んで構成されている
【００２６】
以下の説明において、図１に示されている「上」を上方向、「下」を下方向、「前」を前方向、「後」を後方向と定義する。また、図１において紙面から手前に向かう方向を右方向、紙面から奥に向かう方向を左方向と定義する。本明細書において寸法、数値等について言及した場合には、当該寸法及び寸法等と完全に一致する寸法及び数値だけでなく、略一致する寸法及び数値等（例えば製造誤差の範囲内である場合）を含むものとする。「同一」、「直交」、「平行」、「一致」、「面一」、「一定」、「中央」、「対称」等についても同様に「略同一」、「略直交」、「略平行」、「略一致」、「略面一」、「略一定」、「略中央」、「略対称」等を含むものとする。
【００２７】
ハウジング２は、セーバソー１の外郭をなしており、モータハウジング２１と、ハンドルハウジング２２と、ギヤハウジング２３とを有している。モータハウジング２１及びハンドルハウジング２２は、ハウジング２の左右方向の中央を通り且つ左右方向に直交する分割面（仮想面）で分割された分割ハウジングとして構成されており、それぞれの分割された右側部分と左側部分とは、分割面に関して対称に構成されている。ハウジング２は、本発明における「ハウジング」の一例である。
【００２８】
モータハウジング２１は、前後方向に延びる略円筒形状をなしており、図２に示されているように、モータ５を収容している。モータハウジング２１の後部には、吸気口２ａが形成され、前部には、排気口２ｂが形成されている。モータハウジング２１は、本発明における「モータハウジング」の一例である。前後方向は、本発明における「所定方向」の一例である。
【００２９】
図２に示されているモータ５は、ＤＣブラシレスモータであり、回転軸５１、ロータ５２、ステータ５３及びファン５４を有している。このように、モータ５にブラシレスモータを採用しているため、好適にモータ５の回転数を制御することが可能となる。モータ５は、本発明における「モータ」の一例である。
【００３０】
回転軸５１は、前後方向に延び、モータハウジング２１にベアリングを介して回転可能に支承されている。回転軸５１の前端部には、回転軸５１と一体に回転する図示せぬピニオンが固定されている。
【００３１】
ロータ５２は、永久磁石を有する回転子であり、回転軸５１と一体回転可能に回転軸５１に設けられている。
【００３２】
ステータ５３は、図示せぬステータ巻線を有する固定子である。ステータ５３は、モータハウジング２１の内周面に固定されている。なお、ステータ５３のモータハウジング２１の径方向におけるサイズは、モータ５の構成部品の中で最も大きい（図９参照）。
【００３３】
ファン５４は、ロータ５２及びステータ５３の前方において、回転軸５１と一体回転可能に回転軸５１に固定されている。
【００３４】
また、図１及び図２に示されているように、モータハウジング２１には、フック３がフック支持部４を介してハウジング２に対して移動可能にハウジング２に接続されている。フック３は、回動軸部３１と、延出部３２とを有している。フック３は、本発明における「フック」の一例である。
【００３５】
回動軸部３１は、前後方向に延びる軸線を有する略円柱形状に形成され、フック支持部４を介してモータハウジング２１に接続されている。回動軸部３１は、フック支持部４に前後方向に延びる軸線を中心に回転可能に支持されている。回動軸部３１は、本発明における「第１部分」の一例である。
【００３６】
延出部３２は、回動軸部３１の後端部から延出する部分であり、回動軸部３１が前後方向に延びる軸線を中心に回転することに伴い、ハウジング２に対して回動して位置が変化するように構成されている。延出部３２は、中間部３２１と、先端部３２２とを有している。延出部３２は、本発明における「第２部分」の一例である。
【００３７】
中間部３２１は、回動軸部３１の後端部から回動軸部３１の径方向外方に延出する略円柱形状に構成されている。中間部３２１と回動軸部３１との接続部分は、所定の曲率で屈曲している。また、図２に示されているように、前後方向において、中間部３２１は、モータ５の後方に位置するように構成されている。中間部３２１は、本発明における「延出部」の一例である。
【００３８】
先端部３２２は、中間部３２１の延出端部（下端部）から中間部３２１の径方向外方に延出する略円柱形状に構成されている。中間部３２１と先端部３２２との接続部分は、所定の曲率で屈曲している。
【００３９】
なお、モータハウジング２１、フック３及びフック支持部４の詳細な構成については、後述する。
【００４０】
図１に示されているように、ハンドルハウジング２２は、モータハウジング２１の後方に位置している。ハンドルハウジング２２は、把持部２２１と、第１延出部２２２と、第２延出部２２３と、接続部２２４とを有している。
【００４１】
把持部２２１は、作業時に作業者に把持される部分であり、上下方向に延びる略円筒形状をなしている。把持部２２１の前部の上部には、モータ５の始動及び停止を制御するための手動操作可能なトリガ２２Ａが設けられている。また、本実施の形態においては、図２に示されているように、前後方向において、前方から、ステータ５３、中間部３２１、把持部２２１の順に並んでいる（図２参照）。中間部３２１がモータハウジング２１の径方向におけるサイズがモータ５の構成部品の中で最も大きいステータ５３よりも後方に位置することにより、モータハウジング２１の径方向への大型化を抑制することが可能である（図９参照）。把持部２２１は、本発明における「把持部」の一例である。
【００４２】
第１延出部２２２は、把持部２２１の上端部から前方に延びる略円筒形状をなし、その前端部がモータハウジング２１の後端部の上部と接続されている。
【００４３】
第２延出部２２３は、把持部２２１の下端部から前方に延びる略円筒形状をなしている。第２延出部２２３の下端には、電池パックＰを接続可能な電池接続部２２３Ａが設けられている。
【００４４】
接続部２２４は、第２延出部２２３の前端部から前上方に延びる略円筒形状をなし、その上端部がモータハウジング２１の下端部と接続されている。接続部２２４には、図示せぬ制御部が収容されている。制御部は、少なくとも、ユーザのトリガ２２Ａに対する操作に応じて、モータ５の駆動を制御するように構成されている。
【００４５】
ギヤハウジング２３は、モータハウジング２１の前端部から前方に延びる略円筒形状をなしている。ギヤハウジング２３には、図示せぬ動力伝達機構及び出力部が収容されている。本実施の形態においては、モータ５の駆動力が動力伝達機構を介して出力部に伝達され、出力部に装着される図示せぬ先端工具（ブレード等）が往復動するように構成されている。
【００４６】
次に、図３及び図４を参照しながら、フック支持部４の構成及びフック支持部４によって支持されるフック３について詳細に説明する。フック支持部４は、本発明における「フック支持部」の一例である。
【００４７】
図３及び図４に示されているように、フック支持部４は、円筒部４１と、固定部４２と、２つの六角ネジ４３と、摺動壁４４と、スプリング４５とを有している。
【００４８】
円筒部４１は、前後方向に延びる略円筒形状をなし、端壁部４１Ａを有している。円筒部４１は、本発明における「円筒部」の一例である。
【００４９】
図４に示されているように、端壁部４１Ａは、円筒部４１の前端部をなし、前後方向に延びている。端壁部４１Ａは、その前端部に溝部４１ａと、複数の当接面４１Ｂとを有している。複数の当接面４１Ｂは、円筒部４１の径方向内方に向かうに従い後方に傾斜するように構成されている。溝部４１ａには、複数の溝が円筒部４１の径方向に延び円筒部４１の周方向において所定の間隔で形成されている。本実施の形態において、複数の溝は、円筒部４１の周方向において略９０度間隔で形成されている。また、端壁部４１Ａの径方向における中央には、円筒部４１の前後方向における他の部分よりも小径の挿通穴４１ｂが形成されている。挿通穴４１ｂの内径は、フック３の回動軸部３１の外径の直径よりも僅かに大きく構成されている。端壁部４１Ａは、本発明における「端壁部」の一例である。複数の溝は、本発明における「溝」の一例である。
【００５０】
固定部４２は、円筒部４１の下端部に接続され、側面視において略矩形状をなしている。固定部４２には、ネジ孔が形成され、当該ネジ孔に六角ネジ４３が螺合可能に構成されている。
【００５１】
摺動壁４４は、前後方向に延びる略円筒形状をなしている。摺動壁４４の外径は、円筒部４１の内径よりも僅かに小径に構成され、摺動壁４４の内径は、円筒部４１の端壁部４１Ａの挿通穴４１ｂの内径と同一に構成されている。つまり、摺動壁４４の内径は、端壁部４１Ａの挿通穴４１ｂと同様に、フック３の回動軸部３１の直径よりも僅かに大きく構成されている。端壁部４１Ａの挿通穴４１ｂと摺動壁４４の内周には、回動軸部３１が挿通されている。また、摺動壁４４は、円筒部４１の内周を前後方向に摺動可能に構成されている。
【００５２】
スプリング４５は、圧縮コイルスプリングである。スプリング４５は、前後方向に延び、円筒部４１内に収容されている。スプリング４５は、その前端が端壁部４１Ａの後面と当接し、その後端が摺動壁４４の前面と当接することにより、端壁部４１Ａに対して摺動壁４４を後方に付勢している。また、図４に示されているように、スプリング４５のコイル部には、フック３の回動軸部３１が挿通されている。
【００５３】
図４に示されているように、フック３の回動軸部３１の前端部には、回動軸部３１をその径方向に貫通する嵌合穴３１ａが形成されている。また、回動軸部３１の前後方向における略中央部には、規制部材３１Ａが設けられている。
【００５４】
嵌合穴３１ａには、回動軸部３１の径方向に延びるようにピン３５が嵌合されている。本実施の形態においては、図５に示されているように、ピン３５が溝部４１ａの複数の溝と係合することで回動軸部３１の回転位置が位置決めされるように構成されている。また、回動軸部３１の回転位置が位置決めされることにより、延出部３２のハウジング２に対する回動位置が位置決めされる。ピン３５は、本発明における「ピン」の一例である。
【００５５】
規制部材３１Ａは、回動軸部３１の径方向外方に突出している。規制部材３１Ａの前部と摺動壁４４の後面とは、当接している。スプリング４５により端壁部４１Ａに対して後方に付勢された摺動壁４４が、規制部材３１Ａを後方に付勢することにより回動軸部３１は後方に付勢されている。これにより、外力が加えられていない状態において、ピン３５と溝部４１ａの複数の溝とが係合した状態を保持することが可能に構成されている。
【００５６】
次に、図７乃至図９を参照しながら、モータハウジング２１の詳細な構成について説明する。
【００５７】
図７及び図８に示されているように、モータハウジング２１には、モータハウジング２１の外面からモータハウジング２１の径方向内方に窪む収容溝２１ａが形成されている。収容溝２１ａは、右側面視及び上面視において、略コ字状をなすように形成されている。収容溝２１ａは、第１収容溝２１ｂと、第２収容溝２１ｃと、第３収容溝２１ｄとを有している。収容溝２１ａは、本発明における「収容部」の一例である。
【００５８】
第１収容溝２１ｂは、前後方向に延び、モータハウジング２１の径方向内方に窪んでいる。第１収容溝２１ｂは、右側面視においてモータハウジング２１の上端部に位置し、上面視においてモータハウジング２１の右端部に位置するように形成されている。第１収容溝２１ｂの窪む曲率は、回動軸部３１が第１収容溝２１ｂ内に配置されるように、回動軸部３１の外周の曲率よりも僅かに大きくなるように設定されている。回動軸部３１の外周の曲率よりも僅かに大きく構成されている。これにより、回動軸部３１は、第１収容溝２１ｂ内に位置することが可能に構成されている。また、図７に示されているように、第１収容溝２１ｂは、円筒部収容溝２１ｅと、固定部収容溝２１ｆとを有している。
【００５９】
円筒部収容溝２１ｅは、前後方向に延び、第１収容溝２１ｂの前部のうちフック支持部４の円筒部４１が嵌り込む部分である。円筒部収容溝２１ｅの窪む曲率は、フック支持部４の円筒部４１の外周の曲率と同一に構成されている。
【００６０】
固定部収容溝２１ｆは、右側面視略矩形状をなし、円筒部収容溝２１ｅの下端から連続している。固定部収容溝２１ｆは、フック支持部４の固定部４２が嵌り込む部分である。固定部収容溝２１ｆは、フック支持部４の固定部４２と側面視において同一形状をなすように構成されている。図には、表れていないが、固定部収容溝２１ｆには、固定部収容溝２１ｆを規定する窪みの底面とモータハウジング２１の内周面とを左右方向に貫通するネジ孔が形成されている。本実施の形態においては、円筒部４１を円筒部収容溝２１ｅに配置し且つ固定部４２を固定部収容溝２１ｆに配置した状態で、固定部４２のネジ孔を介して固定部収容溝２１ｆのネジ孔に六角ネジ４３を締めることにより、フック支持部４をモータハウジング２１に取付け可能に構成されている。また、六角ネジ４３を緩めることによりフック支持部４をモータハウジング２１から取り外し可能に構成されている。
【００６１】
第２収容溝２１ｃは、側面視略Ｌ字状をなしている。第２収容溝２１ｃは、モータハウジング２１の右側面において、第１収容溝２１ｂの後端から延出し、モータハウジング２１の径方向内方に窪んでいる。第２収容溝２１ｃは、第１中間部収容溝２１ｇと、第１先端部収容溝２１ｈとを有している。第２収容溝２１ｃは、本発明における「第１収容部」の一例である。
【００６２】
第１中間部収容溝２１ｇは、第１収容溝２１ｂの後端から第３収容溝２１ｄと分岐するように下方に延出し、モータハウジング２１の径方向内方に窪んでいる。第１中間部収容溝２１ｇと第１収容溝２１ｂとの接続部分は、フック３の中間部３２１と回動軸部３１との接続部分と同一の曲率で屈曲している。第１中間部収容溝２１ｇを規定する窪みの底面の曲率は、フック３の中間部３２１の外周の曲率と同一に構成されている。これにより、中間部３２１と第１中間部収容溝２１ｇを規定する窪みの底面とは、線接触することが可能である。また、図９中の（ｉ）に示されているように、第１中間部収容溝２１ｇは、フック３の中間部３２１の全体がモータハウジング２１の外面よりも内側に位置することが可能なように窪んでいる。ここで、図９中の（ｉ）は、フック３の延出部３２が第２収容溝２１ｃに位置する状態を示している。
【００６３】
第１先端部収容溝２１ｈは、第１中間部収容溝２１ｇの下端から右方に延出し、モータハウジング２１の径方向内方に窪んでいる。第１先端部収容溝２１ｈと第１中間部収容溝２１ｇとの接続部分は、フック３の中間部３２１と先端部３２２との接続部分と同一の曲率で屈曲している。第１先端部収容溝２１ｈを規定する窪みの底面の曲率は、フック３の先端部３２２の外周の曲率と同一に構成されている。これにより、先端部３２２と第１先端部収容溝２１ｈを規定する窪みの底面とは、線接触することが可能である。また、図９中（ｉ）に示されているように、第１先端部収容溝２１ｈは、フック３の先端部３２２の全体がモータハウジング２１の外面よりも内側に位置することが可能なように窪んでいる。
【００６４】
図８に示されているように、第３収容溝２１ｄは、上面視略Ｌ字状をなしている。第３収容溝２１ｄは、モータハウジング２１の上面において、第１収容溝２１ｂの後端から延出しており、第２中間部収容溝２１ｉと、第２先端部収容溝２１ｊとを有している。第３収容溝２１ｄは、本発明における「第２収容部」の一例である。
【００６５】
第２中間部収容溝２１ｉは、第１収容溝２１ｂの後端から第２収容溝２１ｃと分岐するように左方に延出し、モータハウジング２１の径方向内方に窪んでいる。第２中間部収容溝２１ｉと第１収容溝２１ｂとの接続部分は、フック３の中間部３２１と回動軸部３１との接続部分と同一の曲率で屈曲している。第２中間部収容溝２１ｉを規定する窪みの底面の曲率は、フック３の中間部３２１の外周の曲率と同一に構成されている。これにより、中間部３２１と第２中間部収容溝２１ｉを規定する窪みの底面とは、線接触することが可能である。また、図９中の（ｉｉ）に示されているように、第２中間部収容溝２１ｉは、フック３の中間部３２１の全体がモータハウジング２１の外面よりも内側に位置することが可能なように窪んでいる。ここで、図９中の（ｉｉ）は、フック３の延出部３２が第３収容溝２１ｄに位置する状態を示している。
【００６６】
第２先端部収容溝２１ｊは、第２中間部収容溝２１ｉの左端から前方に延出し、モータハウジング２１の径方向内方に窪んでいる。第２先端部収容溝２１ｊと第２中間部収容溝２１ｉとの接続部分は、フック３の中間部３２１と先端部３２２の接続部分と同一の曲率で屈曲している。第２先端部収容溝２１ｊを規定する窪みの底面の曲率は、フック３の先端部３２２の外周の曲率と同一に構成されている。これにより、先端部３２２と第２先端部収容溝２１ｊを規定する窪みの底面とは、線接触することが可能である。また、図９中（ｉｉ）に示されているように、第２先端部収容溝２１ｊは、フック３の先端部３２２の全体がモータハウジング２１の外面よりも内側に位置することが可能なように窪んでいる。
【００６７】
次に、本実施の形態にかかるセーバソー１のフック３を用いた梯子や足場等への吊り下げ作業について説明する。
【００６８】
図５に示されているように、作業者は、先端部３２２又は中間部３２１をつまみ、モータハウジング２１から離間させるように回動軸部３１を先端部３２２及び中間部３２１を中心に回動させる。このときに、回動軸部３１に回転方向の外力が加わることにより、円筒部４１の溝部４１ａの複数の溝とピン３５との係合が解除され、回動軸部３１が回転し、これに伴い、先端部３２２及び中間部３２１が回動する。
【００６９】
先端部３２２及び中間部３２１を所定量回動させた状態で、作業者は図示せぬパイプ等にフック３を引掛ける。本実施の形態においては、前後方向において、中間部３２１に対してモータ５側にセーバソー本体の重心が位置するように構成されている。これにより、安定してセーバソー１を梯子や足場等に吊り下げることが可能となる。
【００７０】
作業者が作業を再開する場合には、作業者は、先端部３２２又は中間部３２１をつまみ、モータハウジング２１に近接させるように回動軸部３１を中心に先端部３２２及び中間部３２１を回動させる。本実施の形態においては、図１及び図５に示されているように、モータハウジング２１の側面に形成された第２収容溝２１ｃ及び上面に形成された第３収容溝２１ｄにフック３の延出部３２（中間部３２１及び先端部３２２）を収容可能に構成されている。
【００７１】
次に、本実施の形態にかかるセーバソーのフックを用いた梯子や足場等への吊り下げ作業について説明する。
【００７２】
図５に示されているように、作業者は、先端部３２２又は中間部３２１をつまみ、モータハウジング２１から離間させるように回動させる。このときに、回動軸部３１に回転方向の外力が加わることにより、円筒部４１の溝部４１ａの複数の溝とピン３５との係合が解除され、回動軸部３１が回転し、これに伴い、先端部３２２及び中間部３２１が回動する。
【００７３】
所定量回動させた状態で、作業者は図示せぬパイプ等にフック３を引掛ける。本実施の形態においては、前後方向において、中間部３２１に対してモータ５側にセーバソー本体の重心が位置するように構成されている。これにより、安定してセーバソー１を梯子や足場等に吊り下げることが可能となる。
【００７４】
作業者が作業を再開する場合には、作業者は、先端部３２２又は中間部３２１をつまみ、モータハウジング２１に近接させるように回動させる。本実施の形態においては、図１及び図５に示されているように、モータハウジング２１の側面及び上面にフック３の延出部３２（中間部３２１及び先端部３２２）を収容可能に構成されている。
【００７５】
なお、本実施の形態において、フック３の中間部３２１及び先端部３２２が第２収容溝２１ｃ又は第３収容溝２１ｄに収容されている場合には、ピン３５が当接面４１Ｂと当接するように構成されている。これにより、フック３が収容された場合には、フック３がフック支持部４に安定して支持されるように構成されている。
【００７６】
次に、本発明の効果について、図７乃至９を参照しながら説明する。
【００７７】
従来から、フックを有する電動工具が知られているが、電動工具本体を落下させるなどすることにより、フックに負荷がかかると、ハウジングのフック保持部分に応力が集中することにより電動工具が変形・破損してしまう可能性があった。
【００７８】
本実施の形態においては、図９に示されているように、フック３の中間部３２１又は先端部３２２をハウジング２に対して回動させる方向の力（図中の矢印Ｆ参照）が働いた場合においても、図９において回動軸部３１を中心に先端部３２２及び中間部３２１を時計回り又は反時計回りに回動させることにより、先端部３２２及び中間部３２１を第２収容溝２１ｃ及び第３収容溝２１ｄのいずれか一方に位置することが可能に構成されている。つまり、フック３に外力が働いた場合において、フック３の少なくとも一部が第２収容溝２１ｃ及び第３収容溝２１ｄのいずれか一方に位置することが可能に構成されている。このように、フック３がモータハウジング２１の内側に窪む収容溝２１ａに入り込むことにより、フック３に対して負荷がかかることが抑制され、セーバソー１（フック３及びセーバソー１のフック支持部４）の破損及び変形を好適に抑制することが可能となる。具体的には、収容溝２１ａに位置するフック３は、図９の断面視においてハウジング２の外面より外方に突出しないように構成されている。換言すれば、収容溝２１ａの開口面からフック３が突出しないようになっている。このように、少なくともフック３の一部を通るような断面視において、フック３がハウジング２の外面より内方に位置するように構成することで、例えば落下時においても地面とフック３とが接触することが抑制でき、フック３やフック支持部４の破損及び変形を好適に抑制することができる。
【００７９】
また、図９に示されているように、第２収容溝２１ｃ及び第３収容溝２１ｄ内において、中間部３２１及び先端部３２２は、当該溝を規定する面と線接触することが可能に構成されている。つまり、フック３に外力が働いた場合において、フック３の少なくとも一部がハウジング２と線接触することが可能に構成されている。これにより、従来のフックがハウジングと点接触する場合に比べ応力を分散させることができ、セーバソー１（フック３、フック支持部４及びハウジング２）の破損及び変形を抑制することが可能となる。
【００８０】
次に、図１０を参照しながら、本発明の第２の実施の形態にかかるディスクグラインダ１００について説明する。第２の実施の形態にかかるディスクグラインダ１００は、第１の実施の形態にかかるセーバソー１のフック３及びフック支持部４と同一の構成を有するフック１０３及びフック支持部１０４を有している。
【００８１】
図１０に示されているように、第２の実施の形態にかかるディスクグラインダ１００においては、モータハウジング２１に替えてモータハウジング１２１を有している。また、ハンドルハウジング２２に代えて把持部１２２１を有するハンドルハウジング１２２が設けられている。
【００８２】
モータハウジング１２１には、収容溝１２１ａが規定されている。収容溝１２１ａは、本発明における「収容部」の一例である。
【００８３】
収容溝１２１ａは、第１の実施の形態における収容溝２１ａと同様にモータハウジング１２１に形成され、モータハウジング１２１の径方向内方に窪んでいる。収容溝１２１ａは、上面視において略コ字状をなす第１収容溝１２１ｃと、図には表れていないが、側面視において略コ字状をなす第２収容溝１２１ｂとを有している。
【００８４】
本実施の形態においても、フック１０３に外力が働いた場合において、フック１０３がモータハウジング１２１の内側に窪む収容溝１２１ａに入り込むことが可能に構成されている。これにより、フック１０３に対して負荷がかかることが抑制され、ディスクグラインダ１００（フック１０３及びディスクグラインダ１００のフック支持部１０４）の破損及び変形を好適に抑制することが可能となる。
【００８５】
また、本実施の形態においても、フック１０３の少なくとも一部がモータハウジング１２１と線接触することが可能に構成されている。これにより、従来のフックがハウジングと点接触する場合に比べて応力を分散させることができ、ディスクグラインダ１００（フック１０３、フック支持部１０４及びハウジング）の破損及び変形を抑制することが可能となる。
【００８６】
次に、図１１を参照しながら、本発明の第３の実施の形態にかかるハンマドリル２００について説明する。第３の実施の形態にかかるハンマドリル２００は、第１の実施の形態にかかるセーバソー１のフック３及びフック支持部４と同一の構成を有するフック２０３及びフック支持部２０４を有している。
【００８７】
図１１に示されているように、第３の実施の形態にかかるハンマドリル２００においては、モータハウジング２１に替えてモータハウジング２２０を有している。また、ハンドルハウジング２２に替えて把持部２２５Ａを有するハンドルハウジング２２５が設けられている。
【００８８】
モータハウジング２２０には、収容溝２２０ａが規定されている。収容溝２２０ａは、本発明における「収容部」の一例である。
【００８９】
収容溝２２０ａは、第１の実施の形態における収容溝２１ａと同様にモータハウジング２２０に形成され、モータハウジング２２０の径方向内方に窪んでいる。収容溝２２０ａは、側面視において略コ字状をなす第１収容溝２２０ｂと、図には表れていないが、上面視において略コ字状をなす第２収容溝２２０ｃとを有している。
【００９０】
本実施の形態においても、フック２０３に外力が働いた場合において、フック２０３がモータハウジング２２０の内側に窪む収容溝２２０ａに入り込むことが可能に構成されている。これにより、フック２０３に対して負荷がかかることが抑制され、好適にハンマドリル２００（フック２０３及びハンマドリル２００のフック支持部２０４）の破損及び変形を抑制することが可能となる。
【００９１】
また、本実施の形態においても、フック２０３の少なくとも一部がモータハウジング２２０と線接触することが可能に構成されている。これにより、フックがハウジングと点接触する場合に比べ応力を分散させることができ、ハンマドリル２００（フック２０３、フック支持部２０４及びハウジング）の破損及び変形を抑制することが可能となる。
【００９２】
本明細書においては、セーバソー、ハンマドリル、ディスクグラインダを例に説明したが、本発明は上記以外の電動工具、例えば、丸鋸、ジグソー、チェンソー等の電動工具にも適用可能である。
【符号の説明】
【００９３】
１…セーバソー  ２…ハウジング  ３…フック  ４…フック支持部  ５…モータ
【図１】
2019107711.tif 000003
【図２】
2019107711.tif 000004
【図３】
2019107711.tif 000005
【図４】
2019107711.tif 000006
【図５】
2019107711.tif 000007
【図６】
2019107711.tif 000008
【図７】
2019107711.tif 000009
【図８】
2019107711.tif 000010
【図９】
2019107711.tif 000011
【図１０】
2019107711.tif 000012
【図１１】
2019107711.tif 000013